(57)【要約】【課題】本装置の設置時に、ＥＰＧが正常に受信できるか否かを知らせることのできる放送受信装置を提供することである。【解決手段】放送受信装置１０は、現在の設置地域が設定されると、モニタ１７に、ユーザに診断モードを実行するか否かの選択を促す画面を表示し、診断モードの実行を指示されると、受信部１１が、ＥＰＧを送出しているチャンネルのテレビ放送電波を受信し、ＥＰＧ抽出部１４が、ＥＰＧデータを抽出し、制御部１５が、受信したテレビ放送電波の所定のフレーム数に対して、抽出できたＥＰＧデータのライン数を算出し、該ライン数が規定の閾値以下である場合は正常に受信できていないと判定し、一方、該ライン数が規定の閾値より多い場合は正常に受信できていると判定し、ＥＰＧデータが正常に受信できていない場合に警告画面をモニタ１７に表示する診断モードを実行する構成とする。【選択図】図１
2007214687.tif 000002
【特許請求の範囲】
【請求項１】
テレビ放送電波を受信する受信部と、テレビ放送電波のＶＢＩからＥＰＧデータを取り出すＥＰＧ抽出部と、ＥＰＧデータを処理する制御部と、ＥＰＧを表示するモニタとを備えた放送受信装置において、
現在の設置地域が設定されると、前記モニタに、ユーザに診断モードを実行するか否かの選択を促す画面を表示し、前記診断モードの実行を指示されると、
前記受信部が、ＥＰＧを送出しているチャンネルのテレビ放送電波を受信し、前記ＥＰＧ抽出部が、ＥＰＧデータを抽出し、前記制御部が、受信した前記テレビ放送電波の所定のフレーム数に対して、抽出できたＥＰＧデータのライン数を算出し、該ライン数が規定の閾値以下である場合は正常に受信できていないと判定し、一方、該ライン数が前記規定の閾値より多い場合は正常に受信できていると判定し、ＥＰＧデータが正常に受信できていない場合に警告画面を前記モニタに表示する診断モードを実行することを特徴とする放送受信装置。
【請求項２】
テレビ放送電波を受信する受信部と、テレビ放送電波のＶＢＩからＥＰＧデータを取り出すＥＰＧ抽出部と、ＥＰＧデータを処理する制御部とを備えた放送受信装置において、
前記受信部が、ＥＰＧを送出しているチャンネルのテレビ放送電波を受信し、前記ＥＰＧ抽出部が、ＥＰＧデータを抽出し、前記制御部が、ＥＰＧデータが正常に受信できているか否かを判定し、判定結果を出力する診断モードを有することを特徴とする放送受信装置。
【請求項３】
現在の設置地域が設定されると、前記診断モードを実行することを特徴とする請求項２記載の放送受信装置。
【請求項４】
ＥＰＧを受信するチャンネルが変更されると、前記診断モードを実行することを特徴とする請求項２記載の放送受信装置。
【請求項５】
前記診断モードの実行前に、ユーザに前記診断モードを実行するか否かの選択を促すことを特徴とする請求項２〜４の何れかに記載の放送受信装置。
【請求項６】
ＥＰＧデータが正常に受信できているか否かの前記判定は、受信した前記テレビ放送電波の所定のフレーム数に対して、抽出できたＥＰＧデータのライン数を算出し、該ライン数が規定の閾値以下である場合は正常に受信できていないと判定し、一方、該ライン数が前記規定の閾値より多い場合は正常に受信できていると判定することを特徴とする請求項２〜５の何れかに記載の放送受信装置。
【請求項７】
前記判定結果の出力は、ＥＰＧデータが正常に受信できていない場合に行う警告画面の出力であることを特徴とする請求項２〜６の何れかに記載の放送受信装置。
【発明の詳細な説明】
【技術分野】
【０００１】
本発明は、ＥＰＧを利用した放送受信装置に関するものである。
【背景技術】
【０００２】
従来、地上アナログ放送の放送電波に文字信号を重畳させ、放送する番組のジャンルや放送時間などに関するＥＰＧ（電子番組表：Electronic Program Guide）を送信する技術が普及している。このＥＰＧは、各家庭の放送受信装置により取り出され、テレビ画面に番組表として表示させることにより、視聴者の好みに合わせた番組の検索を行うことができる。
【０００３】
図８は、ＥＰＧをテレビ画面に表示させるためのＧガイドシステム１００のシステム構成を示す概略図である。Ｇガイドシステム１００は、送信側において、放送事業者により作成された番組案内情報を所定のファイル形式に変換し、圧縮、暗号化した後、テレビ放送電波のＶＢＩ（垂直帰線消去時間：Vertical Blanking Interval）に文字信号を挿入して編成し、送出装置から各放送受信装置へ送信する。一方、受信側は、放送受信装置によりテレビ放送電波を受信してＶＢＩから文字信号をデータとして取り出し、このデータを一旦メモリ等に格納した後、データの復号化、伸長を行って、上述した所定のファイルを取り出して、テレビ画面に番組表として表示させる。
【０００４】
ところでＥＰＧの受信については様々な提案がなされている。例えば特許文献１には、現在受信中のチャンネルから他のチャンネルへの変更を指示する操作を検出すると、他のチャンネルおよび他のチャンネルに隣接するチャンネルのＥＰＧデータを受信してメモリに記憶し、記憶した３つのチャンネルのＥＰＧデータに応じてＥＰＧ表示データを生成し、映像表示部に表示する受信装置が開示されている。
【０００５】
また特許文献２には、受信装置の使用の履歴を記憶する履歴記憶手段と、前記履歴に基づいてＥＰＧを取得すべき時刻の優先順位を設定する第１設定手段と、前記履歴に基づいてＥＰＧを取得すべきチャンネルの優先順位を設定する第２設定手段とを備えたデジタル放送受信装置が開示されている。
【０００６】
また特許文献３には、電子番組表受信装置が開示されている。この電子番組表受信装置は、ＥＰＧデータ受信開始判断部で、最初に受信すべきＥＰＧデータファイルかをファイル種別と日付から判断し、受信中フラグセット部で、最初に受信すべきＥＰＧデータファイルであれば、受信中フラグをセットする。ＥＰＧデータ受信中に中断があれば、受信中フラグをリセットし、最終ＥＰＧデータファイルが確認された場合は最終ファイル受信フラグをセットする。ＥＰＧデータ受信完了判断部で、受信中フラグと最終ファイル受信フラグの両方がセットされたことを認識すると、ＥＰＧデータを中断なく受信できたと判断し、受信中フラグがリセットされている場合は、取得したＥＰＧデータを破棄する。
【０００７】
また特許文献４には、番組表を作成するための情報を取得するチャンネルを外部からの操作に基づいて選定可能とするとともに、情報取得中のチャンネルを画面に表示するようにした放送受信装置が開示されている。
【特許文献１】特開２００５−１８４６２０号公報
【特許文献２】特開２００５−２６８１０号公報
【特許文献３】特開２００１−３２６８７２号公報
【特許文献４】特開２００５−５７４７３号公報
【発明の開示】
【発明が解決しようとする課題】
【０００８】
上記の特許文献１〜４には、ＥＰＧの受信についての記載はあるが、ＥＰＧが受信できる環境であるか否かの判断についての記載や示唆はない。上記の特許文献１〜４では、ＥＰＧを受信できることが前提となっている。
【０００９】
しかしながら、弱電の地域ではＥＰＧを正常に受信できず、ＥＰＧが全く取得できなかったり、抜けが生じたりする。これは、放送受信装置を購入して設置した後や引っ越し等で放送受信装置を移動させて設置した後に、ＥＰＧが正常に表示されないことで判明する。また、アナログ周波数変更、所謂アナアナ変更によっても、アナログ放送のチャンネルが変更されてＥＰＧを送出しているチャンネルが弱電となることが考えられ、ＥＰＧが正常に表示されなくなる場合がある。
【００１０】
本発明は、本装置の設置時に、ＥＰＧが正常に受信できるか否かを知らせることのできる放送受信装置を提供することを目的とする。
【課題を解決するための手段】
【００１１】
上記目的を達成するために本発明は、テレビ放送電波を受信する受信部と、テレビ放送電波のＶＢＩからＥＰＧデータを取り出すＥＰＧ抽出部と、ＥＰＧデータを処理する制御部とを備えた放送受信装置において、前記受信部が、ＥＰＧを送出しているチャンネルのテレビ放送電波を受信し、前記ＥＰＧ抽出部が、ＥＰＧデータを抽出し、前記制御部が、ＥＰＧデータが正常に受信できているか否かを判定し、判定結果を出力する診断モードを有することを特徴とする。
【００１２】
この構成によると、設置時等に診断モードを実行することで、ＥＰＧが正常に受信できるか否かがわかる。
【００１３】
上記放送受信装置において、現在の設置地域が設定されると、前記診断モードを実行するようにしてもよい。この構成によると、放送受信装置を購入したときの設置時や引っ越し等で放送受信装置を移動させて設置したときに、ＥＰＧが正常に受信できるか否かがわかる。
【００１４】
また上記放送受信装置において、ＥＰＧを受信するチャンネルが変更されると、前記診断モードを実行するようにしてもよい。この構成によると、アナアナ変更があった場合にＥＰＧを取得するチャンネルを変更した際に、ＥＰＧが正常に受信できるか否かがわかる。
【００１５】
また上記放送受信装置において、前記診断モードの実行前に、ユーザに前記診断モードを実行するか否かの選択を促すようにしてもよい。この構成によると、ユーザは、放送受信装置を購入したときの設置時等には診断モードの実行を選択したり、放送受信装置を移動させても地域が変わらない等の場合には診断モードの実行を選択しなかったりすることができる。
【００１６】
また上記放送受信装置において、ＥＰＧデータが正常に受信できているか否かの前記判定は、受信した前記テレビ放送電波の所定のフレーム数に対して、抽出できたＥＰＧデータのライン数を算出し、該ライン数が規定の閾値以下である場合は正常に受信できていないと判定し、一方、該ライン数が前記規定の閾値より多い場合は正常に受信できていると判定するようにすればよい。
【００１７】
この構成によると、例えば、所定のフレーム数を８００とすれば、十数秒で判定することができる。
【００１８】
また上記放送受信装置において、前記判定結果の出力は、ＥＰＧデータが正常に受信できていない場合に行う警告画面の出力とすることができる。この構成によると、ユーザにブースター等の設置を促すことができる。
【００１９】
上記の本発明を具体化すると、テレビ放送電波を受信する受信部と、テレビ放送電波のＶＢＩからＥＰＧデータを取り出すＥＰＧ抽出部と、ＥＰＧデータを処理する制御部と、ＥＰＧを表示するモニタとを備えた放送受信装置において、現在の設置地域が設定されると、前記モニタに、ユーザに診断モードを実行するか否かの選択を促す画面を表示し、前記診断モードの実行を指示されると、前記受信部が、ＥＰＧを送出しているチャンネルのテレビ放送電波を受信し、前記ＥＰＧ抽出部が、ＥＰＧデータを抽出し、前記制御部が、受信した前記テレビ放送電波の所定のフレーム数に対して、抽出できたＥＰＧデータのライン数を算出し、該ライン数が規定の閾値以下である場合は正常に受信できていないと判定し、一方、該ライン数が前記規定の閾値より多い場合は正常に受信できていると判定し、ＥＰＧデータが正常に受信できていない場合に警告画面を前記モニタに表示する診断モードを実行する構成となる。
【発明の効果】
【００２０】
本発明によれば、設置時に、ＥＰＧが正常に受信できるか否かがわかるので、ＥＰＧが正常に受信できないとわかった場合にユーザはブースターを取り付けるなどの対策を講じることができる。その結果、ユーザは設置後の使用中にＥＰＧが正常に表示されないことに初めて気付くということがなく、設置時に使用上の問題を解決することができる。
【発明を実施するための最良の形態】
【００２１】
図１は、放送受信装置の構成を示すブロック図、図２は、図１のＥＰＧ抽出部及び制御部の構成を示すブロック図である。なお、図１及び図２は、本発明に必要な構成のみを示し、説明に不要なその他の構成は省略してある。放送受信装置１０は、受信部１１、音声検波回路１２、映像検波回路１３、ＥＰＧ抽出部１４、制御部１５、スピーカ１６、モニタ１７、受光部１８、リモコン１９等から構成されている。
【００２２】
受信部１１は、アンテナ１１ａを備え、放送局から送られてくる放送電波をアンテナ１１ａにより受信し、その中から所望の放送番組を選局して受信するチューナとしての機能を有している。受信部１１は、受信した放送電波のうち映像信号及び音声信号を抽出して、映像信号及び音声信号をそれぞれ映像検波回路１３及び音声検波回路１２に出力する。また、受信部１１は、放送電波に重畳された文字信号を抽出するためのＥＰＧ抽出部１４へ放送電波を出力する。
【００２３】
音声検波回路１２は、受信部１１から入力された映像信号及び音声信号のうち音声信号を検波して、この音声信号を増幅回路（不図示）により増幅してスピーカ１６へ出力する。
【００２４】
映像検波回路１３は、受信部１１から入力された映像信号及び音声信号のうち映像信号を検波して、この映像信号を増幅回路（不図示）により増幅してモニタ１７へ出力する。
【００２５】
ＥＰＧ抽出部１４は、放送電波に重畳して送出される文字信号を抽出して、ＥＰＧを取得する。ここで、ＥＰＧには、番組の番組名、放送日、番組開始時間、番組終了時間、予約コード、チャンネル、ジャンル等の情報が２週間分程度含まれており、これらの情報がＥＰＧ記憶部（図２参照）に記憶される。
【００２６】
制御部１５は、リモコン１９から送出された選局操作やモード選択操作等が受光部１８を介して入力されると、システムプログラムや制御プログラムに従って放送受信装置１０の各部を駆動制御する。
【００２７】
図２を参照してＥＰＧ抽出部１４及び制御部１５について詳細に説明する。図２に示すように、ＥＰＧ抽出部１４は、データ取込回路１４ａ、バッファメモリ１４ｂ、ＥＰＧ記憶部１４ｃ、出力ＩＦ１４ｄ等から構成されている。また制御部１５は、ＣＰＵ（Central Processing Unit）１５ａ、ＲＯＭ（Read Only Memory）１５ｂ、ＲＡＭ（Random Access Memory）１５ｃ、入力ＩＦ１５ｄ等から構成されている。そして、ＥＰＧ抽出部１４の各部及び制御部１５の各部はバス１５ｅにより接続されている。
【００２８】
データ取込回路１４ａは、受信部１１から入力された映像データのＶＢＩに挿入されたＥＰＧデータである文字信号を抽出して、この文字信号に対して同期再生及び誤り訂正を行った後、バッファメモリ１４ｂに一時的に記憶する。バッファメモリ１４ｂは、ＣＰＵ１５ａの制御に応じて、蓄積されたＥＰＧデータをページ単位でＥＰＧ記憶部１４ｃへ出力する。
【００２９】
ＥＰＧ記憶部１４ｃは、バッファメモリ１４ｂからページ単位で転送されるＥＰＧデータを記憶し、ＣＰＵ１５ａの制御により、送信側の送出装置からＥＰＧが送出される時刻になるとＥＰＧを更新して記憶する。出力ＩＦ１４は、ＥＰＧ記憶部１４ｃから読み出されるＥＰＧをモニタ１７へ出力する。
【００３０】
ＣＰＵ１５ａは、ＲＯＭ１５ｂに記憶されている制御プログラム及びＲＡＭ１５ｃに記憶されている制御データにより動作する。ＣＰＵ１５ａは、データ取込回路１４ａにおける文字信号のタイミング制御及びデータ取込回路１４ａからバッファメモリ１４ｂへのデータ転送を制御する。また、ＣＰＵ１５ａは、バッファメモリ１４ｂに一時的に記憶させたＥＰＧデータをページ単位でＥＰＧ記憶部１４ｃに転送して記憶させる。
【００３１】
ＣＰＵ１５ａは、送信側の送出装置からＥＰＧが送出される時刻になると、ＥＰＧ抽出部１４を制御して新たなＥＰＧデータを取得させる。これによりＥＰＧ記憶部１４ｃに記憶させたＥＰＧを更新することができる。
【００３２】
また、ＣＰＵ１５ａは、リモコン１９からＥＰＧの表示指示が入力されると、ＥＰＧ記憶部１４ｃからＥＰＧを読み出し、出力ＩＦ１４ｄからＥＰＧを出力し、モニタ１７にＥＰＧを表示させる。
【００３３】
入力ＩＦ１５ｄは、受光部１８を介して入力される操作指示をＣＰＵ１５ａへ出力する。
【００３４】
次に、放送受信装置１０がＥＰＧデータを正常に受信できているかを判定する診断モードについて説明する。図３は、放送受信装置１０の動作を示すフローチャートである。放送受信装置１０を購入して設置する場合や、引っ越し等で放送受信装置１０を移動させて設置する場合、ユーザは初期設定で現在の設置地域を設定する。これは、一般的に市外局番を入力することで設定できる。そして、設置地域の設定が終わると、放送受信装置１０は、ステップＳ１０において診断モードを実行するか否か、つまりＥＰＧの信号診断を行うか否かについて、選択を促す画面を表示する。図４に画面の一例を示す。画面３０では信号診断を行うか否かの問いに対して、「はい」か「いいえ」をカーソル３１で選択できるようになっている。
【００３５】
次に、ステップＳ１０からステップＳ１１へ進んで信号診断するか否かを判定する。画面３０で「はい」が選択されると、信号診断をすると判定し、ステップＳ１２へ進んで診断モードを実行する。一方、画面３０で「いいえ」が選択されると、信号診断しないと判定し、処理を終了する。ユーザは、放送受信装置１０を購入したときの設置時には画面３０で「はい」を選択した方がよいが、放送受信装置１０を移動させても地域が変わらない場合には画面３０で「いいえ」を選択すればよい。
【００３６】
なお、ステップＳ１０及びステップＳ１１の処理は必ずしも必要ではなく、初期設定で設置地域が設定された場合は強制的に診断モードを実行するようにしてもよい。また、図５に示すような場合に診断モードを実行するようにしてもよい。図５は、放送受信装置１０の他の動作を示すフローチャートである。アナアナ変更があった場合、ＥＰＧを取得するチャンネルを変更する必要がある。この場合、ユーザにより初期設定でＥＰＧ取得チャンネルの項目が選択されると、放送受信装置１０は、ステップＳ２０においてＥＰＧ取得チャンネルを設定する画面（不図示）を表示する。
【００３７】
そして、ユーザによりＥＰＧ取得チャンネルが確定されると、ステップＳ２１へ進んでＥＰＧ取得チャンネルが変更されたか否かを判定する。ＥＰＧ取得チャンネルが変更された場合は、ステップＳ１０へ進む。ステップＳ１０からステップＳ１２までは図３と同様であるので説明を省略する。一方、ステップＳ２１においてＥＰＧ取得チャンネルが変更されなかった場合は、ＥＰＧの診断モードを実行する必要がないので処理を終了する。
【００３８】
次に、診断モードにおける放送受信装置１０の動作について説明する。図６は、診断モードにおける放送受信装置１０の動作を示すフローチャートである。診断モードが実行されると、ステップＳ３０において受信部１１が、現在の設置地域でＥＰＧを送出しているチャンネル（ＥＰＧ取得チャンネルが変更された場合は変更後のチャンネル）のテレビ放送電波を受信し、ステップＳ３１へ進んで、ＥＰＧ抽出部１４が放送電波の映像信号からＥＰＧデータを抽出する。
【００３９】
続いてステップＳ３２へ進んで制御部１５が、ＥＰＧデータが正常に受信できているか否かを判定する。具体的には、受信したテレビ放送電波の映像信号の所定のフレーム数（例えば８００）に対して、抽出できたＥＰＧデータのライン数を算出し、該ライン数が規定の閾値（例えば７８０）以下であるか否かを判定する。そして、ライン数が規定の閾値以下であると正常に受信できていないと判定し、ステップＳ３３へ進んで、図７に示すような、ＥＰＧデータが正常に受信できていないからブースターを用いることを勧める警告の画面を表示する。一方、ライン数が規定の閾値より多いと正常に受信できていると判定し、診断モードを終了する。なお、ステップＳ３２において正常に受信できていると判定した場合は、その旨を表示してから診断モードを終了するようにしてもよい。
【００４０】
このように、放送受信装置１０にＥＰＧの診断モードを設けることにより、設置時に、ＥＰＧが正常に受信できるか否かがわかるので、ＥＰＧが正常に受信できないとわかった場合にユーザはブースターを取り付けるなどの対策を講じることができる。その結果、従来のように設置後の使用中にＥＰＧが正常に表示されないことに初めて気付くということがなくなり、ユーザは設置時に、使用上の問題を解決することができる。
【産業上の利用可能性】
【００４１】
本発明の放送受信装置は、テレビジョン受信装置をはじめ、ビデオ装置、ＤＶＤレコーダ、ＨＤＤレコーダ等に搭載することができる。
【図面の簡単な説明】
【００４２】
【図１】本発明の放送受信装置の構成を示すブロック図である。
【図２】図１のＥＰＧ抽出部及び制御部の構成を示すブロック図である。
【図３】本発明の放送受信装置の動作を示すフローチャートである。
【図４】本発明の診断モードを実行するか否かの選択を促す画面の一例を示す図である。
【図５】本発明の放送受信装置の他の動作を示すフローチャートである。
【図６】本発明の診断モードにおける放送受信装置の動作を示すフローチャートである。
【図７】本発明の警告の画面の一例を示す図である。
【図８】従来のＧガイドシステムのシステム構成を示す概略図である。
【符号の説明】
【００４３】
１０    放送受信装置
１１    受信部
１４    ＥＰＧ抽出部
１５    制御部
１７    モニタ
【図１】
2007214687.tif 000003
【図２】
2007214687.tif 000004
【図３】
2007214687.tif 000005
【図４】
2007214687.tif 000006
【図５】
2007214687.tif 000007
【図６】
2007214687.tif 000008
【図７】
2007214687.tif 000009
【図８】
2007214687.tif 000010